(57)【要約】【課題】本発明はズボンに光沢を発生させることなくズボンに折り目を付与すると共に、ズボンに光沢を発生させることなくズボンのしわを伸ばすことを家庭内で容易に行えるようにするズボンの折り目付与装置を提供することを課題とする。【解決手段】本発明に係わるズボンの折り目付与装置はズボンの内側からズボンの折り目（Ｙ）を外側に押し出すためのエッジ部を有する押し出し部（Ｂ）が基体（Ａ）の両端に設けられており、かつ該エッジ部（２）に空気袋（５）を介して押し出し力が伝達されると共に保持されることを特徴とする。【選択図】図３
2004243070.tif 000002
【特許請求の範囲】
【請求項１】
ズボン（Ｘ）の内側からズボンの折り目（Ｙ）を外側に押し出すためのエッジ部（２）を有する押し出し部（Ｂ）が基体（Ａ）の両端に設けられており、かつ該エッジ部に空気袋（５）を介して押し出し力が伝達されると共に保持されることを特徴とするズボンの折り目付与装置
【請求項２】
空気袋（５）が圧縮空気導入機能を有し、圧縮空気導入時の圧力をエッジ部（２）に伝達し保持する機構を有することを特徴とする請求項１記載のズボンの折り目付与装置
【請求項３】
空気袋（５）が外部から空気袋に加えられた押圧力を直接エッジ部（２）に伝達し保持する機構を有することを特徴とする請求項１記載のズボンの折り目付与装置
【請求項４】
押し出し部（Ｂ）がたわみ性を有する押し出しエッジ部（２）と、該エッジ部に先端が一定間隔で連結する剛性を有するスペーサー群（３）と、これらスペーサー群の根本部を連結するベルト（４）と、該ベルトに接触する空気袋（５）と、からなることを特徴とする請求項１〜請求項３の何れかに記載のズボンの折り目付与装置
【請求項５】
基体（Ａ）の外側表面（１）に滑り防止加工を施していることを特徴とする請求項１〜請求項４の何れかに記載のズボンの折り目付与装置
【発明の詳細な説明】
【０００１】
【発明の属する技術分野】
本発明は家庭内で容易にズボンに折り目を付与するとともに、しわを伸ばすことができる装置に関するものである。
【０００２】
【従来の技術】
従来から、家庭内でズボンに折り目をつけ、しわを伸ばす方法としてはアイロンを用いることが一般的に行われている。即ち、アイロンを用いてズボンの外側から圧力と熱を加えることにより、ズボンに折り目を付与するとともにしわを伸ばしている。しかし、アイロン仕事は手間と熟練を必要とし、独身者や単身赴任者にとっては容易な仕事ではなかった。このようなアイロン仕事の手間を省くため、ズボンプレッサーのようにズボン全体に外側から熱と圧力を加える装置も従来から使用されている。しかし、ズボンプレッサーはズボンの両側から板状の部材で挟む構造であるため、内部に蒸気がこもり、しわ伸ばしには必ずしも有効ではなかった。また、これら従来の方法ではズボンの外側から直接ズボンの生地に圧力と熱を加えるため、同一の操作を頻繁に繰り返すことにより、生地表面の繊維が押し付けられた状態でセットされるため、ズボンに光沢が生じると言う大きな欠点があった。さらにフラノのような厚み感のある生地の場合はこのような操作を繰り返すことにより厚み感がなくなるという欠点も生じた。
【０００３】
一方、このような外部からズボンに圧力と熱を加える方法とは異なり、ズボンの内部から力と熱を加える方法も幾つか提案されている。  例えば、特許文献１には予め記憶した形状に高温で復帰する形状記憶合金を衣類の内部に挿入する衣類仕上具が提案されている。この方法では、予め個々の衣類の理想形状を記憶させるという工程が必要であり、実用的ではない。
【０００４】
また、特許文献２には衣類の袖などの開口部末端を拡げた状態で閉鎖する方法として圧縮空気を導入する袖−緊張部材を採用した装置が提案されているが、この方法ではしわを伸ばすことはできても衣類に折り目を付与することはできない。
【０００５】
さらに実用新案文献３にはズボンの折り目を外側に押し出すエッジ部をコイルバネ等の弾性部材を用いて作動させる工夫をしたズボンの整形具が提案されている。しかしながら、エッジ部をズボンの折り目の全線に渡って均一な力で押し出すためにはエッジ部の形状を予め個々のズボンの形状に合致させておかなければならないといった課題が生じるが、そのような工夫も考え方も本考案には示唆されていない。
【０００６】
特許文献４には弾性部材と拡張可能なリンク装置とを組み合せて衣類の内部に挿入することによりワイシャツ、ズボン、スカートなどの衣類のしわを伸ばすとともに折り目が付与できる衣類仕上げ機が提案されている。しかし、この装置をズボンに採用する場合、弾性部材によりズボンの折り目全線に渡って均等な力が加えられるどうかは不明であり、また加える力を制御できないという欠点がある。
【特許文献１】
公開特許公報          昭５８−１５００
【特許文献２】
公開特許公報          昭６２−２５４８００
【実用新案文献３】
公開実用新案公報      平４−２１３９９
【特許文献４】
公開特許公報          平７−１２４３９３
【０００７】
【発明が解決しようとする課題】
本発明はズボンに光沢を発生させることなくズボンに折り目を付与すると共に、ズボンに光沢を発生させることなくズボンのしわを伸ばすことを家庭内で容易に行えるようにするズボンの折り目付与装置を提供することを課題とする。
【０００８】
【課題を解決するための手段】
上記課題を解決するために本発明では、ズボンの内側からズボンの折り目を外側に押し出すためのエッジ部を有する押し出し部（Ｂ）が基体（Ａ）の両端に設けられており、かつ該エッジ部（２）に空気袋（５）を介して押し出し力が伝達されると共に保持されることを特徴とするズボンの折り目付与装置が提供される。空気袋（５）の利用方法としては圧縮空気を直接空気袋に導入する第一の方法（請求項２）と、密閉状態の空気袋を介して外力を伝達保持する第二の方法（請求項３）とがある。第一の方法では人力、バネ、モーター等の機械力は勿論、重力、油圧、形状記憶材料、磁石等の全ての外力を圧縮空気と併用することも可能である。第二の方法は密閉状の空気袋（５）を介して外力をエッジ部（２）に伝達保持させる方法である。外力としては前記のいずれの外力も単独あるいは組み合わせて利用可能である。ここで、同一基体（Ａ）の押し出し部（Ｂ）の片側を第一の方法で、反対側を第二の方法で構成することも考えられる
【０００９】
本発明で空気袋を利用する理由は空気袋が形状に拘わらずコントロールされた均一な圧力を発生させてくれるところにある。この圧力をズボンの折り目全線に渡って均一な線応力に変換できることを見出した点が本発明の重要な要素の一つである。
【００１０】
さらに、本発明ではたわみ性を有する押し出しエッジ部（２）と該エッジ部に先端が一定間隔で連結する剛性を有するスペーサー群（３）とこれらスペーサー群の根本部を連結するベルト（４）と該ベルトに接触する空気袋（５）とで構成される押し出し部（Ｂ）が提供される。このような構成からなる押し出し部（Ｂ）はエッジ部（２）がズボンの折り目（Ｙ）の全線に密着して均一な線応力を発生させることを可能としている。
【００１１】
さらに、本発明ではズボン（Ｘ）と基体（Ａ）との接触面（１）に滑り防止加工を施している装置が提供される。ズボンの断面方向に引っ張り力が加わり過ぎるとズボンの縫い目が緩むと言った不都合を防ぐためである。
【００１２】
【発明の実施形態】
以下に本発明の実施形態を詳細に説明する。装置全体の形状としては図３に示すようにズボンの二本の足が同時に挿入出来る様に台座（Ｃ）に右足用と左足用の本発明に係わる一対の装置を組み合わせた形態が好ましい。
【００１３】
本発明の基体部（Ａ）は金属や木材、プラスチック等の剛性を有する材料単独あるいは、それらの組合せから構成されるフレーム構造とズボンに接触する表面（１）からなる。基体の形状は本装置全体がズボンの内部に容易に挿入出来るようなものであれば特に限定されるものではないが、望ましくは先端部（Ｂ）の断面方向の巾をほぼ一定に保ち且つ、本装置をズボン（Ｘ）に挿入した状態でズボンの折り目（Ｙ）と押し出しエッジ部（２）との間隔が１ｃｍ程度になるように、予めズボンの形状に合わせて設定出来るようになっていればなお好ましい。このことは図示されてはいないが基体の先端の横フレーム（６）が断面方向に位置を自由に調節できるような構造にしておくことによって達成される。
【００１４】
ズボンに接触する表面（１）にはズボン本体に過度の引っ張り力が加わるのを防ぐために、滑り防止加工が施されていても良い。滑り防止加工は材料表面への凹凸の付与やあるいは、例えばゴム質等の摩擦の大きい材料を用いることにより達成される。
【００１５】
また図示してはいないが、基体部（Ａ）には必要に応じてズボンを加熱し、あるいは蒸気を発生させる機構を付与しておくこともできる。これらは既存のアイロンや衣類仕上機に使用されている公知の手段を用いて達成される。
【００１６】
本発明における最も重要な部分である先端部（Ｂ）はたわみ性を有する押し出しエッジ部（２）と該エッジ部に先端が一定間隔で連結する剛性を有するスペーサー群（３）とこれらスペーサー群の根本部を連結するベルト（４）と該ベルトに接触する空気袋（５）とから構成される。エッジ部（２）はズボンの折り目に密着するための適度なたわみ性と剛性を有するように材質と形状を選ぶ事ができる。このような目的を満たすものとしては一般に針金と呼ばれている金属の細い棒を利用するのが有利である。勿論金属以外にカーボンやプラスチックの線、棒、管等の成型品を用いることも可能である。エッジ部（２）の先端の厚みはズボンに明確な折り目を付与するためには小さい方が望ましい。明確な限定はないが０．５ｍｍ以下が好ましい。必要に応じてエッジ部（２）を加熱できるようにすることもできる。例えばスペーサーの内部に電熱線を配備して置けば容易に達成される。加熱する場合は先端部（Ｂ）全体を耐熱性材料で構成する必要があることは言うまでもない。
【００１７】
次にスペーサー群（３）であるが、これは空気袋の空気圧をエッジ部（２）に伝えるための必要不可欠な要素である。スペーサー群（３）は押し出し方向のみに力を伝達し、ズボン折り目と平行方向に対してはスペーサー間の間隔を変え得ることが必要となる。その一例を図２に示した。個々のスペーサーは中空の同形状の三角柱からなっている。剛性を有する限り材質は限定されるものではないが先端部（Ｂ）が加熱される場合は耐熱性がある材料が必要である。三角柱は変形せずに力を伝達出来るので本スペーサー群（３）の形状としては最も好ましい。個々のスペーサーの大きさは限定されないがズボンの折り目方向の巾としては１ｃｍ程度が好ましい。エッジ部（２）に対してスペーサーを連結する間隔は限定されないが前記スペーサー群（３）の場合には１ｃｍ程度が好ましい。即ち２ｃｍに一個の割合で巾１ｃｍのスペーサーがエッジ部（２）に先端で連結される。連結方法としては金属の場合は溶接で、プラスチックの場合にはエッジ部（２）との一体成形が好ましい。スペーサー群（３）のその他の実施形態としては二枚の布や網あるいはフイルム等の柔軟性を有する帯の間に棒状のスペーサーを等間隔で挟み込むことでも達成される。要はスペーサーの目的が果たせる限り実施形態は例を挙げたものに限定されるものではない。
【００１８】
スペーサー群の根本に連結されるベルト（４）は空気袋からの圧力を先端のエッジ部に伝えるための重要な要素であり、力を伝えるためには空気袋と接触する面積がある程度以上なければならない。従って、ベルト（４）の巾は１ｃｍ以上あることが望ましい。ベルト（４）の材質は特に限定されないが、金属やプラスチックの薄板、布地等が使用できる。
【００１９】
次に本発明に用いる空気袋（５）であるが、材質は特に限定されないがフレキシブルであって、繰り返しの使用にも耐え得る耐久性があることが好ましい。例えば、タイヤ用のチューブや血圧計用の空気袋等公知のものが利用できる。エッジ部をズボンの折り目により密着させるためには空気袋が若干の伸縮性を有している方が好ましい。横フレーム（６）が固定されている場合は空気袋に図示されていない圧縮空気導入ポンプが必要である。手動あるいは動力ポンプが使用できる。
【００２０】
横フレーム（６）が外力を受けて空気袋に押圧力を及ぼす図示されていない機構を有する場合は空気ポンプの必要性はない。本発明の装置を実際に使用する場合、空気圧を加える前に、押し出し先端部をズボンの折り目に沿うようにズボンをセットする必要があることは言うまでもない。
【００２１】
以上、本発明の実施形態をのべたが、本発明の装置は本発明の思想が含まれる限り、本実施形態に限定されるものではない。
【００２２】
【発明の効果】
本発明の装置を使用することにより家庭内で容易にズボンに光沢を発生させることなくズボンに折り目を付与するとともに、ズボンのしわを伸ばすことができる。
【図面の簡単な説明】
【図１】本発明の実施の形態に係わるズボンの折り目付与装置のＺ−Ｚ線断面図である
【図２】押し出し部Ｂの部分拡大図である
【図３】一対の装置と台座を組み合わせた本発明の実施の形態に係わるズボンの折り目付与装置の使用状態を示す斜視図である
【符号の説明】
Ｘ  ズボン                  １  基体の表面          ５  空気袋
Ｙ  ズボンの折り目          ２  エッジ部            ６  横フレーム
Ａ  基体                    ３  スペーサー
Ｂ  押し出し部              ４  ベルト
Ｃ  台座
【図１】
2004243070.tif 000003
【図２】
2004243070.tif 000004
【図３】
2004243070.tif 000005